(57)【要約】【課題】ピーキングノイズまたは電圧スパイクをなくすか、防止し得るプラズマディスプレイ装置の駆動方法及びその装置を提供すること。【解決手段】アドレス電極に実質的な映像データ書き込みが完了した後、及び／または最後のスキャン電極への最後のスキャンパルスまたは信号印加後に、前記アドレス電極をフローティングさせて、所定の電圧に維持させることによって、スキャン電極及びサステイン電極からピーキングノイズ（Peaking Noise）が流入するのを防止して誤放電をなくす。デュアルスキャンではないシングルスキャンの使用を含むプラズマディスプレイパネル駆動の効率性を増加させ、画質を改善する。【選択図】図４Ａ
2006323362.tif 000002
【特許請求の範囲】
【請求項１】
複数のスキャン電極、サステイン電極、及びアドレス電極を有するプラズマディスプレイ装置の駆動方法において、
アドレス期間の間、少なくとも１つのスキャン電極にスキャンパルスを印加するステップと、
前記アドレス期間の間、少なくとも１つのアドレス電極にデータパルスを印加するステップと、
前記スキャン電極に最後のスキャンパルスが提供された後、接地電位ではない第１電圧電位を有する所定の波形信号を、少なくとも１つのアドレス電極に印加するステップと
を有することを特徴とするプラズマディスプレイ装置の駆動方法。
【請求項２】
前記第１電圧電位は、前記データパルスが有する第２電圧電位に対応することを特徴とする請求項１に記載のプラズマディスプレイ装置の駆動方法。
【請求項３】
前記第１電圧電位は、前記データパルスが有する第２電圧電位と異なることを特徴とする請求項１に記載のプラズマディスプレイ装置の駆動方法。
【請求項４】
前記第１電圧電位は、前記データパルスの最大電圧電位と異なることを特徴とする請求項３に記載のプラズマディスプレイ装置の駆動方法。
【請求項５】
サステイン期間の間、前記少なくとも１つのスキャン電極に１つ以上のサステインパルスを印加するステップをさらに含むことを特徴とする請求項１に記載のプラズマディスプレイ装置の駆動方法。
【請求項６】
前記所定の波形信号は、前記少なくとも１つのスキャン電極に最初のサステインパルスが印加される前、または、前記サステイン期間の間に、前記少なくとも１つのアドレス電極へ入力されることを特徴とする請求項５に記載のプラズマディスプレイ装置の駆動方法。
【請求項７】
前記所定の波形信号は、前記少なくとも１つのスキャン電極に前記最初のサステインパルスが印加される前であって、前記少なくとも１つのスキャン電極が接地電位である時に入力されることを特徴とする請求項６に記載のプラズマディスプレイ装置の駆動方法。
【請求項８】
前記第１電圧電位は、フローティング電位であることを特徴とする請求項１に記載のプラズマディスプレイ装置の駆動方法。
【請求項９】
前記フローティング電圧電位は、データ駆動部の複数のスイッチと接続した信号線を制御することによって印加されることを特徴とする請求項８に記載のプラズマディスプレイ装置の駆動方法。
【請求項１０】
アドレス期間の間、少なくとも１つのスキャン電極にスキャンパルスを印加する第１駆動回路と、
前記アドレス期間の間、アドレス電極にデータパルスを印加する第２駆動回路と
を含み、
前記第２駆動回路は、スキャン電極に最後のスキャンパルスが印加された後、接地電位ではない第１電圧電位を有する所定の波形信号を出力することを特徴とするプラズマディスプレイ装置。
【請求項１１】
前記第１電圧電位は、前記データパルスが有する第２電圧電位に対応することを特徴とする請求項１０に記載のプラズマディスプレイ装置。
【請求項１２】
前記第１電圧電位は、前記データパルスが有する第２電圧電位と異なることを特徴とする請求項１０に記載のプラズマディスプレイ装置。
【請求項１３】
前記第１電圧電位は、前記データパルスの最大電圧電位と異なることを特徴とする請求項１２に記載のプラズマディスプレイ装置。
【請求項１４】
サステイン期間の間、前記少なくとも１つのスキャン電極に１つ以上のサステインパルスを印加する第３駆動回路をさらに含むことを特徴とする請求項１２に記載のプラズマディスプレイ装置。
【請求項１５】
前記所定の波形信号は、前記少なくとも１つのスキャン電極に最初のサステインパルスが印加される前、または、前記サステイン期間の間に、前記少なくとも１つのアドレス電極へ入力されることを特徴とする請求項１４に記載のプラズマディスプレイ装置。
【請求項１６】
前記安定化波形信号は、前記少なくとも１つのスキャン電極に前記最初のサステインパルスが印加する前であって、前記少なくとも１つのスキャン電極が接地電位である時に入力されることを特徴とする請求項１４に記載のプラズマディスプレイ装置。
【請求項１７】
前記第１電圧電位は、フローティング電位であることを特徴とする請求項１０に記載のプラズマディスプレイ装置。
【請求項１８】
前記フローティング電位は、前記第２駆動回路の複数のスイッチと接続した信号線を制御することによって印加されることを特徴とする請求項１７に記載のプラズマディスプレイ装置。
【請求項１９】
第１方向に長い複数のサステイン電極及び複数のスキャン電極と、
前記第１方向と実質的に垂直である第２方向に長い複数のアドレス電極と、
前記スキャン電極及びサステイン電極と隣り合う２つのアドレス電極とで囲まれた領域またはその近傍に形成された複数のセルと、
複数のサブフィールドに基づいて、前記アドレス電極の電位を駆動する駆動回路と
を含み、
前記駆動回路は、前記スキャン電極に最後のスキャン信号が提供された後に、少なくとも１つのサブフィールドのアドレス期間の間、接地電位ではない所定の電位を少なくとも１つのアドレス電極に印加することを特徴とするプラズマディスプレイパネル。
【請求項２０】
前記駆動回路は、各々のサブフィールドのスキャン期間の間に、スキャン信号を各々のスキャン電極に入力し、各々のサブフィールドのサステイン期間の間に、少なくとも１つのサステイン信号を各々のスキャン電極に入力するスキャン駆動部を含むことを特徴とする請求項１９に記載のプラズマディスプレイパネル。
【請求項２１】
前記スキャン駆動部は、各々のサブフィールドのリセット期間の間に、各々のスキャン電極にリセット信号を入力することを特徴とする請求項２０に記載のプラズマディスプレイパネル。
【請求項２２】
前記駆動回路は、各々のサブフィールドのサステイン期間の間、少なくとも１つのサステイン信号を少なくとも１つのサステイン電極に入力するサステイン駆動部をさらに含むことを特徴とする請求項１９に記載のプラズマディスプレイパネル。
【請求項２３】
前記駆動回路は、各々のサブフレームのアドレス期間の間、各々のアドレス電極にデータ信号を入力して前記所定の電位を維持させるアドレス駆動部を含むことを特徴とする請求項１９に記載のプラズマディスプレイパネル。
【請求項２４】
前記所定の電位は、各々のサブフィールドのアドレス期間の終了まで、各々のサブフィールドのサステイン期間の所定期間の間、及び後続するサブフィールドの開始までのいずれかの期間中、前記複数のアドレス電極において維持されることを特徴とする請求項１９に記載のプラズマディスプレイパネル。
【請求項２５】
前記所定の電位は、データの最大電圧と同一であるか、低いか、または高い一定の電圧のうち、いずれかの電圧であることを特徴とする請求項１９に記載のプラズマディスプレイパネル。
【請求項２６】
前記所定の電位は、フローティング電位であることを特徴とする請求項１９に記載のプラズマディスプレイパネル。
【請求項２７】
前記フローティング電位は、後続するサブフィールドのアドレス期間まで維持されることを特徴とする請求項２６に記載のプラズマディスプレイパネル。
【発明の詳細な説明】
【技術分野】
【０００１】
本発明は、ディスプレイデバイスに関し、さらに詳細には、プラズマディスプレイパネル駆動装置及び方法に関する。
【背景技術】
【０００２】
一般に、プラズマディスプレイパネル（Plasma Display Panel；以下、「ＰＤＰ」と記す）は、Ｈｅ＋Ｘｅ、Ｎｅ＋ＸｅまたはＨｅ＋Ｎｅ＋Ｘｅガスの放電の際に発生する１４７ｎｍの真空紫外線（ＶＵＶ）により蛍光体を発光させることによって、文字またはグラフィックを含む画像を表示させる。図１は、ＰＤＰにおいて、階調を提供する方法を示したものである。
【０００３】
図に示しているように、１つのフレームは、発光回数が異なる複数のサブフィールドに分けられる。分けられた各サブフィールドでは、時分割スキーム（time-division scheme）に従って、各電極（スキャン電極Ｙ、サステイン電極Ｚ、アドレス電極Ｘ等）の電位が駆動される。また、前記各サブフィールドは、放電を均一に起こすためのリセット期間Ｒ、放電セルを選択するためのアドレス期間Ａ、放電回数に応じて階調を具現するサステイン期間Ｓを含む。
【０００４】
例えば、２５６階調で画像を表示しようとする場合には、１／６０秒に該当するフレーム期間（１６．６７ｍｓ）が８個のサブフィールドに分けられる。前記各サブフィールドは、リセット期間Ｒ、アドレス期間Ａ、サステイン期間Ｓにそれぞれ分けられる。ただし、前記各サブフィールドのリセット期間Ｒ及びアドレス期間Ａは、サブフィールド毎に同じであるに対し、前記サステイン期間Ｓは、各サブフィールドで２ｎ（ｎ＝０，１，２，３，４，５，６，７）の割合で増加する。
【０００５】
図２は、ＰＤＰを駆動する信号の波形図を示しす図である。ＰＤＰは、各々のサブフィールドにおいて３つの区間、例えば、全ての画面またはセルを初期化させるためのリセット期間Ｒ、対応する放電セルを選択するためのアドレス期間Ａ、及び選択されたセルの放電を維持させるためのサステイン期間Ｓに分けられて駆動される。
【０００６】
リセット期間Ｒでは、全てのスキャン電極Ｙに、図２に示すように、徐々に立ち上がる波形（以下、これをランプ波形（ramp-up）という）を持つセットアップ信号（Ｒ＿ｕｐ）が印加される。前記セットアップ信号（Ｒ＿ｕｐ）により、全ての画面の放電セル内では、セットアップ放電が起きる。このセットアップ放電によって、アドレス電極Ｘとサステイン電極Ｚ上には、正極性の壁電荷が蓄積され、スキャン電極Ｙ上には、負極性の壁電荷が蓄積される。
【０００７】
次に、前記セットアップ信号（Ｒ＿ｕｐ）のピーク電圧より低い正極性電圧から接地電位（これをグランドレベルともいう）ＧＮＤまたは負極性の特定電圧レベルまで徐々に降下する波形を持つセットダウン信号（Ｒ＿ｄｎ）が放電セルに印加される。なお、以下の説明では、徐々に降下する波形をランプ波形（ramp-down）という。
【０００８】
前記セットダウン信号Ｒ＿ｄｎが放電セルに印加されると、放電セル内では、放電が発生して、前記放電セル内部に過度に形成された壁電荷の一部が消去される。この時、アドレス放電が安定して起きることができる程度の壁電荷が、前記放電セルの内部に均一に形成される。
【０００９】
アドレス期間Ａには、電圧Ｖｙの大きさを有した負極性のスキャンパルスｓｃｐが前記スキャン電極Ｙに印加されると共に、前記負極性のスキャンパルスｓｃｐに同期して、前記アドレス電極Ｘにアドレス電圧Ｖａの大きさを有した正極性のデータパルスｄｐが印加される。前記スキャンパルスｓｃｐとデータパルスｄｐとの電圧差に、前記リセット期間Ｒの間に形成された壁電荷による壁電圧が加算されながら、前記データパルスｄｐが印加される放電セルでは、アドレス放電が発生する。アドレス放電によって選択されたセルは、サステイン電圧Ｖｓの大きさを有したサステイン信号の受信の際に、サステイン放電が起きることができる程度の壁電荷が形成される。
【００１０】
前記サステイン電極Ｚには、前記セットダウン信号（Ｒ＿ｄｎ）が印加される間と前記アドレス期間Ａの間、正極性のバイアス電圧Ｖｚｂが印加される。これにより、前記スキャン電極Ｙと前記サステイン電極Ｚとの電圧差が減少して、誤放電の発生が防止される。
【００１１】
サステイン期間Ｓの間には、前記スキャン電極Ｙとサステイン電極Ｚとに交互にサステインパルスｓｕｓが印加される。前記アドレス放電が発生した放電セルは、サステインパルスｓｕｓが印加されると、前記放電セル内部の壁電圧にサステイン電圧Ｖｓが加算されながらサステイン放電が発生する。したがって、前記アドレス放電が発生した放電セルは、サステインパルスｓｕｓが印加される時ごとに、前記スキャン電極Ｙとサステイン電極Ｚとの間にサステイン放電が発生する。
【００１２】
サステイン放電が完了した後には、パルス幅と電圧レベルとが比較的小さなランプ波形（図示せず）が前記サステイン電極Ｚに印加される。これにより、全ての放電セル内に残留する壁電荷が消去される。
【発明の開示】
【発明が解決しようとする課題】
【００１３】
このような方法において、前記アドレス期間Ａの間、アドレス電極Ｘへのデータ書き込みが終了する瞬間、前記スキャン電極Ｙ及びサステイン電極Ｚから瞬間的に電流が漏れるピーキングノイズ（peaking noise）が発生するようになる。仮に、アドレス期間Ａの最後に、ピーキングノイズ（Ｐｎ）または電圧スパイク（voltage spike）が発生した場合、データ書き込みが安定して終了できない。このため、前記スキャン電極Ｙ及びサステイン電極Ｚに形成された壁電荷の状態が不安定になる。このように壁電荷の状態が不安定になると、前記サステイン期間Ｓの間、前記スキャン電極Ｙ及びサステイン電極Ｚにサステインパルスｓｕｓが印加されても、サステイン放電が正しく発生せず、プラズマディスプレイパネルの画質低下を招くという問題が存在する。
【００１４】
仮に、前記ピーキングノイズ（Ｐｎ）または電圧スパイクがプラズマディスプレイパネルで発生すれば、前記スキャン電極Ｙ及びサステイン電極に壁電荷を過度に形成させることによって、過放電を発生させて、輝点が飛ぶ（sputtering）現象が発生する場合がある。また、前記ピーキングノイズ（Ｐｎ）により壁電荷が消去されれば、サステイン放電が弱まって、誤放電が発生するなど、プラズマディスプレイパネルの輝度特性及び画質特性が低下する場合がある。
【００１５】
本発明は、上記の問題及び／または短所を解決し、以下で記述する長所を提供することを目的とする。
【００１６】
本発明の目的は、輝度を向上させることにある。
【００１７】
本発明の目的は、画質を向上させることにある。
【００１８】
本発明の他の目的は、アドレス電極に映像データ書き込みが完了する際、前記アドレス電極に安定化波形を印加することで、スキャン電極及びサステイン電極からピーキングノイズが流入するのを防止し得るプラズマディスプレイ装置、その駆動方法、及びプラズマディスプレイパネルを提供することにある。
【課題を解決するための手段】
【００１９】
本発明の一側面によれば、上記の目的は、ａ）アドレス電極にデータパルスを印加するステップと、ｂ）前記データパルスに対応して、スキャン電極にスキャンパルスを印加するステップとを含み、前記スキャン電極に前記スキャンパルスの印加が完了した後、前記アドレス電極は、前記データパルスの波形と異なる所定の波形を有することを特徴とするプラズマディスプレイパネルの駆動方法により達成される。
【００２０】
好ましくは、前記所定の波形信号は、前記アドレス電極への実質的な映像データ書き込みが完了した以後に印加され、次回のアドレス電極への映像データ書き込みが始まる前に終了しなければならない。
【００２１】
前記所定の波形信号は、前記アドレス電極にデータパルスを印加するために備えられる複数のスイッチと接続した信号線を制御して、前記アドレス電極をフローティングさせる。
【００２２】
本発明の他の側面によれば、ａ）アドレス電極にデータパルスを印加するステップと、ｂ）前記データパルスに対応して、スキャン電極にスキャンパルスを印加するステップと、ｃ）サステイン期間の間、前記スキャン電極に１つ以上のサステインパルスを印加するステップとを含み、前記スキャン電極に前記スキャンパルスの印加が完了した後、前記アドレス電極がフローティングされることを特徴とするプラズマディスプレイパネルの駆動方法が提供される。
【００２３】
本発明のさらに他の側面によれば、アドレス電極にデータパルスを印加する第１駆動部と、前記データパルスに対応して、スキャン電極にスキャンパルスを印加する第２駆動部とを含み、前記スキャン電極に前記スキャンパルスの印加が完了した後、前記アドレス電極は、前記データパルスの波形と異なる所定の波形を有することを特徴とするプラズマディスプレイパネルが提供される。
【００２４】
すなわち、前記アドレス電極へのデータ書き込みが完了した以後に、前記アドレス電極をフローティングさせて、ピーキングノイズの流入を防止する。したがって、前記ピーキングノイズによってスキャン電極及びサステイン電極に形成された壁電荷が相殺することを防止して、安定した放電を行うことができるようになる。
【００２５】
本発明の全てまたは一部は、ａ）スキャンパルスｓｃｐをスキャン電極Ｙに印加するステップと、ｂ）前記スキャンパルスｓｃｐに対応して、データパルスｄｐをアドレス電極Ｘに印加するステップとを含み、前記スキャン電極Ｙに最後のスキャンパルスｓｃｐの印加が完了した後、前記アドレス電極Ｘは、所定の安定化波形を有することを特徴とするプラズマディスプレイパネル（ＰＤＰ）の駆動方法により行われることができる。
【００２６】
前記安定化波形信号は、最後のスキャンパルスｓｃｐに対応して、前記アドレス電極Ｘに印加されるデータパルスの電圧ｄｐを維持できる。
【００２７】
前記安定化波形信号は、前記最後のスキャンパルスｓｃｐに対応して、前記アドレス電極Ｘに印加されるデータパルスｄｐと異なることができる。安定化波形信号の一部区間は、前記データパルスｄｐの最大電圧レベルより高いか低い電圧レベルを有する。本発明は、ｃ）サステイン期間の間、前記スキャン電極Ｙに１つ以上のサステインパルスｓｕｓを印加するステップをさらに含むことができる。安定化波形信号は、前記スキャン電極Ｙに最初サステインパルスｓｕｓ１が印加される前に終了する。安定化波形信号は、前記スキャン電極Ｙに最初のサステインパルスｓｕｓ１が印加される前、前記スキャン電極ＹがグラウンドレベルＧＮＤである時終了する。
【００２８】
前記安定化波形信号は、前記スキャンパルスｓｃｐの前記スキャン電極Ｙへの印加が完了した後、前記アドレス電極Ｘがフローティングされる時形成されることができる。前記アドレス電極Ｘは、前記アドレス電極Ｘにデータパルスｄｐを印加するために備えられるデータ駆動部に含まれた複数のスイッチと接続した信号線を制御してフローティングされる。
【００２９】
本発明の全てまたは一部は、ａ）アドレス期間Ａの間、スキャン電極Ｙにスキャンパルスｓｃｐを印加するステップと、ｂ）前記アドレス期間Ａの間、前記スキャンパルスｓｃｐに対応して、アドレス電極Ｘにデータパルスｄｐを印加するステップと、ｃ）前記スキャン電極Ｙに最後のスキャンパルスｓｃｐを印加するステップと、ｄ）前記スキャン電極Ｙに最後のスキャンパルスｓｃｐ印加が完了した後、前記アドレス電極Ｘがフローティングされるステップとを含むプラズマディスプレイパネルの駆動方法により行われることができる。
【００３０】
本方法は、ｅ）サステイン期間Ｓの間、前記スキャン電極Ｙに１つ以上のサステインパルスｓｕｓを印加するステップをさらに含むことができ、前記アドレス電極Ｘのフローティング終了時点は、前記スキャン電極Ｙに最初サステインパルスｓｕｓ１が印加される前である。本方法は、ｆ）サステイン期間Ｓの間、前記スキャン電極Ｙに１つ以上のサステインパルスｓｕｓを印加するステップをさらに含むことができ、前記アドレス電極Ｘのフローティング終了時点は、前記最初のサステインパルスｓｕｓ１の前記スキャン電極Ｙへの印加前の、前記スキャン電極ＹがグラウンドレベルＧＮＤの電圧である時である。
【００３１】
本発明の全てまたは一部は、スキャン電極Ｙにスキャンパルスｓｃｐを印加するスキャン駆動部（第１駆動部）１３０と、前記スキャンパルスｓｃｐに対応して、アドレス電極Ｘにデータパルスｄｐを印加するアドレス駆動部（第２駆動部）１２０とを含むことができ、前記アドレス駆動部１２０は、前記スキャン電極Ｙに最後のスキャンパルスｓｃｐ印加が完了した後、前記アドレス電極Ｘが所定の安定化波形を有するように制御することを特徴とするプラズマディスプレイパネル装置により行われることができる。
【００３２】
前記アドレス駆動部１２０は、前記最後のスキャンパルスｓｃｐに対応して、前記アドレス電極Ｘに印加されるデータパルスｄｐの電圧を維持することが好ましい。
【００３３】
前記アドレス駆動部１２０は、前記安定化波形が前記最後のスキャンパルスｓｃｐに対応して、前記アドレス電極Ｘに印加されるデータパルスｄｐと異なる波形を有するように制御することが好ましい。前記安定化波形の一部区間は、前記データパルスｄｐの最大電圧レベルより高いか低い電圧レベルを有する。
【００３４】
本装置は、サステイン期間Ｓの間、前記スキャン電極Ｙに１つ以上のサステインパルスｓｕｓを印加する第３駆動部をさらに含むことができる。前記安定化波形信号は、前記スキャン電極Ｙに最初のサステインパルスｓｕｓ１が印加される前に終了する。前記安定化波形信号は、前記最初のサステインパルスｓｕｓ１が前記スキャン電極Ｙに印加される前、前記スキャン電極ＹがグラウンドレベルＧＮＤを有する時終了する。前記安定化波形信号は、前記スキャンパルスｓｃｐの前記スキャン電極Ｙへの印加が完了した後、前記アドレス電極Ｘがフローティングされる時形成されることが好ましい。前記アドレス電極Ｘは、前記アドレス電極Ｘにデータパルスｄｐを印加するために備えられる前記アドレス駆動部１２０に含まれた複数のスイッチＨ，Ｌと接続した信号線を制御してフローティングされる。
【発明の効果】
【００３５】
本発明によれば、輝度を向上することが可能なプラズマディスプレイ装置、その駆動方法、及びプラズマディスプレイパネルを実現することが可能となる。また、本発明によれば、画質を向上することが可能なプラズマディスプレイ装置、その駆動方法、及びプラズマディスプレイパネルを実現することが可能となる。
【００３６】
さらに、本発明によれば、スキャン電極及びサステイン電極からピーキングノイズが流入するのを防止し得るプラズマディスプレイ装置、その駆動方法、及びプラズマディスプレイパネルを実現することが可能となる。
【発明を実施するための最良の形態】
【００３７】
以下、添付した図面を参照して、本発明の最も好ましい実施形態を説明する。
【００３８】
図３は、本発明の一実施形態による３電極交流面放電型ＰＤＰの構造を示した斜視図である。図３に示されているように、３電極交流面放電型ＰＤＰは、前面基板Ａ１を有する前面パネルと背面基板Ｂ１を有する背面パネルとを含む。前面パネルは、前面基板Ａ１に順次形成されるスキャン電極１とサステイン電極２とを含む。前面パネルは、前記スキャン電極１及びサステイン電極２上に積層される誘電体層３と、前記誘電体層３上に形成される誘電体保護層４とをさらに含む。
【００３９】
前記スキャン電極１は、相対的に広い幅を有し、可視光を透過するために、透明電極物質（例えば、ＩＴＯ（Indium-Tin-Oxide））からなる透明電極１ａと、相対的に狭い幅を有し、前記透明電極１ａの面抵抗を補償するために金属物質からなるバス電極１ｂを含む。前記スキャン電極１と同様に、前記サステイン電極２は、透明電極２ａとバス電極２ｂとを含む。透明電極１ａ、２ａは、ＩＴＯで形成される。代替する実施形態において、スキャン電極とサステイン電極とのそれぞれは、ＩＴＯとバス電極ではない１つの電極構造で形成されることができる。
【００４０】
前記プラズマディスプレイパネル駆動のための駆動信号が、前記スキャン電極１と前記サステイン電極２とに印加されると、前記誘電体層３には、壁電荷が蓄積される。この際、前記誘電体保護層４は、スパッタリングによる前記誘電体層３の損傷を防止する。これにより、２次電子の放出効率が改善される。前記誘電体保護層４には、通常酸化マグネシウム（ＭｇＯ）が用いられる。ただし、これに限定されず、誘電体層３と誘電体保護層４とは、例えば１つの層で具現されてもよい。
【００４１】
前記背面基板Ｂ１には、前記スキャン電極１及びサステイン電極２に直交するように、アドレス電極６が形成される。前記アドレス電極上には、壁電荷が蓄積される誘電体層８が形成される。前記誘電体層８上には、放電空間を区画する隔壁７と蛍光体９とが形成される。
【００４２】
蛍光体９は、前記隔壁７の側面及び前記放電空間の底面に塗布され、放電により発生する紫外線により励起発光されて、可視光の３つの色（例えば、レッド、グリーン、ブルー）のうち、いずれかの色を発生する。ただし、これに限定されず、前記隔壁が前記アドレス電極方向のみに形成されていてもよい。また、本実施形態では、図３に示すように、セルが碁盤の目状に配列されている。ただし、これに限定されず、例えば正六角形などの多角形のセルが蜂の巣状に配列された構成など、種々の構成を適用することができる。前記前面基板Ａ１、背面基板Ｂ１、及び隔壁７の間に形成される放電セルの放電空間には、不活性混合ガス（例えば、Ｈｅ＋Ｘｅ、Ｎｅ＋Ｘｅ等）が充填される。
【００４３】
図４Ａ乃至図４Ｅは、本発明の一実施形態によるプラズマディスプレイパネルを駆動する信号の波形図を示す図である。図４Ａに示されているように、１つのサブフィールドＳＦは、リセット期間Ｒから始まる。前記リセット期間Ｒには、全てのスキャン電極１（Ｙ）に正（＋）極性のランプ波形を有するセットアップ信号（Ｒ＿ｕｐ）が印加され、続いて、負（−）極性のランプ波形を有するセットダウン信号（Ｒ＿ｄｎ）がリセット期間Ｒの間にスキャン電極１（Ｙ）に印加される。
【００４４】
前記セットアップ信号（Ｒ＿ｕｐ）により、各々の対応するスキャン電極１（Ｙｎ）上の電圧は、低電圧または０Ｖ電圧から正極性サステイン電圧Ｖｓまで次第に立ち上がり、以後にサステイン電圧Ｖｓより高いセットアップ電圧Ｖｓｅｔｕｐまで次第に立ち上がる。前記セットアップ信号（Ｒ＿ｕｐ）により、前記放電セル内のスキャン電極１（Ｙｎ）とアドレス電極６（Ｘｉ）との間のリセット放電が発生して、放電セル内部に壁電荷が生成される。この時、通常では、サステイン電極２（Ｚｍ）やアドレス電極６（Ｘｉ）に０Ｖの電圧を印加し、前記サステイン電極２（Ｚｍ）にバイアス電圧を印加することで、リセット放電を強化させることもする。
【００４５】
前記セットアップ信号（Ｒ＿ｕｐ）に続いて、前記スキャン電極１（Ｙ）には、ランプ波形形態のセットダウン信号（Ｒ＿ｄｎ）が印加される。前記セットダウン信号（Ｒ＿ｄｎ）がスキャン電極１（Ｙ）に印加されると、前記放電セル内部に過度に生成された壁電荷が消去されて、前記対応するスキャン電極１（Ｙｎ）とアドレス電極６（Ｘｉ）との間の電圧差が放電開始電圧の近くになる。
【００４６】
次に、アドレス期間Ａの間、対応するアドレス電極２（Ｘｉ）に映像データに応じるデータパルスｄｐが印加される。前記データパルスｄｐに対応して、対応するスキャン電極１（Ｙｎ）に前記データパルスｄｐと反対極性を有するスキャンパルスｓｃｐが印加される。図示のように、対応するスキャン電極１（Ｙｎ）が選択されるまで、スキャン電極１（Ｙｎ）は、所定の電圧に維持される。所定の電圧は、図４Ａに示しているように、負極性のバイアス電圧、接地電位、または正極性のバイアス電圧であり得る。所定の電圧は、プラズマディスプレイパネルの全体特性に基づいて決められる。
【００４７】
次に、サステイン期間Ｓには、前記スキャン電極１（Ｙ）とサステイン電極２（Ｚ）とにサステインパルスｓｕｓが交互に印加されるが、アドレス放電が起きたセルの場合には、前記サステインパルスｓｕｓが印加されると、前記スキャン電極１（Ｙ）とサステイン電極２（Ｚ）との間のサステイン放電が発生する。このサステイン放電は、階調を提供するために、１つのフレームを構成する全てのサブフィールドに対して行われる。
【００４８】
なお、アドレス期間の間に、図４Ａにおいて‘ａ’で示しているように、前記最後のスキャン電極１（Ｙ）に最後のスキャンパルスｓｃｐの印加が完了した後、前記アドレス電極６（Ｘ）には、所定の安定化波形が印加される。これにより、ピーキングノイズが防止される。また、図４Ａに示しているように、前記安定化波形信号は、前記最後のスキャン電極１（Ｙ）に印加される前記最後のスキャンパルスｓｃｐに対応して、前記アドレス電極６（Ｘ）に提供されている所定の信号であり得る。前記所定の信号は、例えば、図４Ａにおけるアドレス電圧Ｖａのように、データパルスｄｐと同じ一定の電圧なものが好ましい。
【００４９】
一般に、図４Ａにおいて‘ｂ’で示しているように、サステイン期間Ｓの初期には、一時的に前記スキャン電極１（Ｙ）及びサステイン電極２（Ｚ）をグラウンドレベルＧＮＤに維持させた後、前記スキャン電極１（Ｙ）及びサステイン電極２（Ｚ）に反対極性を有するサステインパルスｓｕｓを交互に印加して、サステイン放電を行う。図４Ａにおいて、前記アドレス電極６（Ｘ）に印加される安定化波形信号は、ａ点において、前記スキャン電極１（Ｙ）への最後のスキャンパルスｓｃｐ印加が完了した後、前記スキャン電極１（Ｙ）にグラウンドレベルＧＮＤの電圧が印加される点であるｂで終了する。前記サステイン期間Ｓが始まる時点において、前記アドレス電極６（Ｘ）が安定化波形を維持しているので、前記スキャン電極１（Ｙ）またはサステイン電極２（Ｚ）から電流が流入しないので、ピーキングノイズが発生しない。
【００５０】
これとは異なり、前記安定化波形信号は、前記サステインパルスｓｕｓが印加される間に終了することができる。すなわち、図４Ｂに示しているように、前記サステイン期間の中で、前記スキャン電極１（Ｙ）に最初のサステインパルスｓｕｓ１の立ち上がりから立ち下がりまでの期間中の或る所定時点ｄに終了されることができ、または図４Ｃに示しているように、前記最初のサステインパルスｓｕｓ１が印加され、最初のサステインパルスｓｕｓ１の立ち下がりから次のサステインパルス（ｓｕｓ２）の立ち上がりまでの期間中の或る所定時間ｅに終了されることができる。図４Ｄに示しているように、複数のサステインパルスｓｕｓが前記スキャン電極１（Ｙ）と前記サステイン電極２（Ｚ）とに印加した後、前記スキャン電極１（Ｙ）とサステイン電極２（Ｚ）とに印加した安定化波形信号は、必要によって終了されることができる。前記スキャン電極１（Ｙ）に前記最初のサステインパルスｓｕｓ１が印加後、前記安定化波形信号が終了する場合、前記安定化波形信号は、前記スキャン電極１（Ｙ）がグラウンドレベルＧＮＤを有する時ｂに終了する。図４Ａ乃至図４Ｃにおいて、最初のサステイン波形または信号は、他のサステイン波形または信号より幅が広いことが好ましい。この波形の幅は、誤放電を防止するために、またはプラズマディスプレイパネルの特性に基づいて、調節できることは勿論である。
【００５１】
例えば、前記スキャン電極１（Ｙ）に正（＋）極性のサステイン電圧（Ｖｓ）が印加され、前記サステイン電極２（Ｚ）には、グラウンドレベルＧＮＤの電圧が印加されると仮定する。前記アドレス電極６（Ｘ）に安定化波形信号を印加し、且つ前記アドレス電極６（Ｘ）がアドレス電圧Ｖａを有する場合、前記アドレス電極６（Ｘ）とスキャン電極１（Ｙ）との間、または前記アドレス電極６（Ｘ）とサステイン電極２（Ｚ）との間には、放電が発生せず、前記スキャン電極１（Ｙ）とサステイン電極２（Ｚ）との間のみで正常にサステイン放電がおきるようになる。前記アドレス電極６（Ｘ）への安定化波形の印加が終了すれば、前記アドレス電極６（Ｘ）及びサステイン電極２（Ｚ）には、グラウンドレベルＧＮＤの電圧が印加されるので、アドレス電極６（Ｘ）には電流が流れなくなって、前記スキャン電極１（Ｙ）とサステイン電極２（Ｚ）との間には、続いて正常的なサステイン放電が行われる。
【００５２】
他の実施形態として、前記アドレス電極Ｘへの前記安定化波形信号の印加を、隣接サブフィールドのアドレス期間の以前に終了するように構成することもできる。すなわち、サステイン期間Ｓの間、前記アドレス電極６（Ｘ）が持続的に前記波形信号を有し、前記サステイン期間Ｓが終了した後、波形信号が終了するように構成することができる。例えば、図４Ｅに示しているように、サステイン期間Ｓの間、波形信号が維持され、次のサブフィールドのリセット期間Ｒ’が始まる前、またはリセット期間Ｒ’に安定化波形信号の印加が終了すれば、前記スキャン電極１（Ｙ）及びサステイン電極２（Ｚ）と前記アドレス電極６（Ｘ）との間のピーキングノイズ流入が防止される。これと同時に、サステイン期間Ｓの間、前記スキャン電極１（Ｙ）とサステイン電極２（Ｚ）との間のサステイン放電が安定して行われる。
【００５３】
前記安定化波形信号は、前記最後のスキャンパルスｓｃｐに対応して、前記アドレス電極Ｘに印加される一定のアドレス電圧Ｖａ波形と異なる信号波形を有することができる。図４Ａから図４Ｅに示すａにおいて、前記アドレス電極６（Ｘ）に実質的なデータ書き込みが終了した後、前記アドレス電極６（Ｘ）に印加される安定化波形信号の少なくとも一部区間は、好ましくは、アドレス電圧Ｖａの電圧を有した前記データパルスｄｐの最大電圧レベルより高いか低く形成されることができる。前記アドレス電極６（Ｘ）が所定の電圧を有するようになれば、前記スキャン電極１（Ｙ）またはサステイン電極２（Ｚ）の電圧レベルが変わる時、前記スキャン電極１（Ｙ）及びサステイン電極２（Ｚ）からアドレス電極６（Ｘ）への電流パスが形成されなくなって、ピーキングノイズが発生しない。
【００５４】
上記のようにピーキングノイズ発生を防止するために、前記アドレス電極６（Ｘ）に印加される安定化波形信号は、前記スキャン電極１（Ｙ）またはサステイン電極２（Ｚ）に最初のサステインパルスｓｕｓ１が印加される前、前記スキャン電極１（Ｙ）及びサステイン電極２（Ｚ）がグラウンドレベルＧＮＤの電圧を有する時終了されることもでき、前記サステインパルスｓｕｓが印加される間に終了されることもできる。または、前記安定化波形信号は、サステインパルスｓｕｓ印加が完了した後、次回のサブフィールドのアドレス期間Ａ以前に終了されることができる。
【００５５】
前記安定化波形信号は、図５に示しているように、前記アドレス電極６（Ｘ）をフローティング、すなわち電気的に浮いた状態とすることで形成することができる。前記アドレス電極６（Ｘ）をフローティングすることで、前記スキャン電極１（Ｙ）及びサステイン電極２（Ｚ）から前記アドレス電極６（Ｘ）に電流が流入することが防止されるため、ピーキングノイズが発生しない。すなわち、前記アドレス電極６（Ｘ）がフローティングされれば、前記アドレス電極６（Ｘ）にデータパルスｄｐを印加するために備えられるスイッチがオープンした状態になるので、前記スキャン電極１（Ｙ）及びサステイン電極２（Ｚ）から電流が流入できなくなり、この結果、ピーキングノイズ発生を防止できるようになる。
【００５６】
この時、前記アドレス電極６（Ｘ）をフローティングさせるためには、前記アドレス電極６（Ｘ）に前記データパルスｄｐを印加するために備えられるデータ駆動部によって制御される。前記データ駆動部がデータパルスｄｐ及びダミーデータパルス印加のために備えられるスイッチの信号線を制御することによって、前記アドレス電極６（Ｘ）がフローティングの状態となる。
【００５７】
前記アドレス電極６（Ｘ）のフローティング開始時点は、前記アドレス電極６（Ｘ）への全てのデータ書き込みａが実質的に終了した後であることが好ましい。前記アドレス電極６（Ｘ）のフローティング終了時点は、スキャン電極１（Ｙ）またはサステイン電極２（Ｚ）への最初のサステインパルスｓｕｓ１印加が始まる前であって、前記スキャン電極１（Ｙ）及びサステイン電極２（Ｚ）がグラウンドレベルＧＮＤの電圧を有する期間中であることが好ましい。前記アドレス電極６（Ｘ）のフローティングが終了する時、前記アドレス電極６（Ｘ）、スキャン電極１（Ｙ）及びサステイン電極２（Ｚ）は、好ましくは、全てグラウンドレベルＧＮＤを有するので、前記スキャン電極１（Ｙ）またはサステイン電極２（Ｚ）からアドレス電極６（Ｘ）への電流の流入が発生しなくなり、この結果、ピーキングノイズを除去することができる。
【００５８】
前記フローティングの終了時点は、多様に設定できるが、上記の他の実施形態と同様に、前記サステイン期間Ｓの間に終了されることもでき、サステイン期間Ｓの終了後、次のサブフィールドのアドレス期間が始まる前に終了されることができる。
【００５９】
一般に、映像データに起因したデータパルスｄｐ印加がａで完了すれば、前記アドレス電極６（Ｘ）には、１つ以上のダミーデータパルス（図示せず）が印加される。前記ダミーデータパルスは、前記映像データに起因したデータパルスｄｐ印加が完了した後、データ安定化のために印加されるパルスである。前記ダミーデータパルスは、画面にディスプレイされる映像とは無関係に印加される信号であるから、前記ダミーデータパルスのパルス幅を、前記データパルスと同一とすることができる。ただし、これに限定されず、ダミーデータパルスのパルス幅をデータパルスと異なるパルス幅とすることもできる。
【００６０】
一般に、前記ダミーデータパルスは、前記データパルスに比べてさらに大きなパルス幅を有するが、前記ダミーデータパルスのパルス幅は、０．５μｓ乃至１０μｓ範囲以内に制御される。前記アドレス電極６（Ｘ）をフローティングさせる時点は、前記ダミーデータパルスが印加される間に始まることができる。前記ダミーデータパルスは、前記アドレス電極６（Ｘ）へ実際の映像データを書き込み後、データを安定化させるために印加されるパルスであるので、前記ダミーデータパルスが印加される間、アドレス電極６（Ｘ）がフローティングされても、プラズマディスプレイパネルにディスプレイされる画像にはいかなる影響をおよぼさない。前記ダミーデータパルスが印加される間、前記アドレス電極６（Ｘ）がフローティングされれば、前記スキャン電極１（Ｙ）及びサステイン電極２（Ｚ）から前記アドレス電極６（Ｘ）への電流の流入が防止されるため、ピーキングノイズをなくすことができる。
【００６１】
図６Ａ及び６Ｂ、図７及び図８Ａ乃至８Ｃは、本発明の一実施形態によるプラズマディスプレイパネルを駆動するための装置及び方法を示した図である。図６Ａは、アドレス駆動部１２０、スキャン駆動部１３０、及びサステイン駆動部１４０により駆動されるプラズマディスプレイパネル１１０を例示し、図６Ｂは、放電セルに対応するデータ線を駆動するためのアドレス駆動部１２０の概略図を例示したものである。
【００６２】
アドレス駆動部１２０は、データパルスｄｐをアドレス電極６（Ｘ）に入力する。前記アドレス駆動部１２０は、データをサンプリングしてラッチした後、前記データパルスｄｐをアドレス電極６（Ｘ）に供給する。前記スキャン駆動部１３０は、スキャンパルスｓｃｐ、サステインパルスｓｕｓを前記スキャン電極１（Ｙ）に供給する。前記サステイン駆動部１４０は、前記サステインパルスｓｕｓを前記サステイン電極２（Ｚ）に供給する。サステイン期間では、前記サステイン駆動部１４０は、前記スキャン駆動部１３０と交互に動作される。
【００６３】
図６Ｂに示しているように、前記データパルスｄｐは、前記アドレス駆動部１２０に備えられるスイッチＨ、Ｌによって制御されるが、前記スイッチＨ、Ｌのオン・オフタイミングを調整して、前記アドレス電極６（Ｘ）にデータパルスｄｐを印加する。前記スイッチＨは、前記アドレス電極６（Ｘ）にアドレス電圧Ｖａの電圧レベルを有するデータパルスｄｐを提供するためのハイレベルスイッチＨである。スイッチＬは、前記アドレス電極６（Ｘ）にグラウンドレベルＧＮＤの電圧を印加するためのロウレベルスイッチＬである。前記スイッチＨがターンオンすれば、前記アドレス電極６（Ｘ）にアドレス電圧Ｖａが印加される。好ましくは、ハイレベルスイッチとロウレベルスイッチは、ＮＭＯＳトランジスタまたはＰＭＯＳトランジスタであり、さらに好ましくは、ＮＭＯＳトランジスタである。
【００６４】
ピーキングノイズを防止するために、前記アドレス駆動部１２０は、最後のスキャン電極１（Ｙ）にスキャンパルスｓｃｐの印加が完了すれば、前記アドレス電極６（Ｘ）に所定の安定化波形信号を印加する。前記アドレス電極６（Ｘ）に印加される安定化波形信号は、アドレス電圧Ｖａの電圧レベルを有した前記データパルスｄｐの電圧レベルと同様に形成されることもでき、前記データパルスｄｐの最大電圧レベルＶｍａｘより高いか、低く形成されることができる。
【００６５】
図７に示しているように、前記アドレス駆動部１２０は、ゲート信号に基づいて前記ハイレベルスイッチＨをターンオンさせ、ロウレベルスイッチＬをターンオフさせて、前記最後のスキャンパルスｓｃｐと対応するように、データパルスｄｐをアドレス電極６（Ｘ）に印加する。したがって、前記アドレス駆動部１２０は、前記ハイレベルスイッチＨを続けてスイッチングさせて、前記アドレス電極６（Ｘ）が前記データパルスｄｐの電圧レベルを維持するようにする。
【００６６】
図４Ａと図７に示しているように、前記安定化波形信号は、前記スキャン電極１（Ｙ）またはサステイン電極２（Ｚ）に最初のサステインパルスｓｕｓ１が印加される前に終了することが好ましい。前記スキャン電極１（Ｙ）またはサステイン電極２（Ｚ）に最初のサステインパルスｓｕｓ１が印加される前、前記スキャン電極１（Ｙ）及びサステイン電極２（Ｚ）は、グラウンドレベルＧＮＤの電圧を有するようになる。前記ハイレベルスイッチＨがターンオフされ、前記ロウレベルスイッチＬが「ｂ」点で導通すれば、前記アドレス電極６（Ｘ）、スキャン電極１（Ｙ）及びサステイン電極２（Ｚ）は、全てグラウンドレベルＧＮＤの電圧を有するようになるので、前記電極間（Ｘ、Ｙ、Ｚ）に電流が流れることを防止できる。これにより、ピーキングノイズの発生を防止することができる。
【００６７】
図４Ｂ、図４Ｃ、及び４Ｄに示しているように、前記安定化波形信号の終了は、前記スキャン電極１（Ｙ）及びサステイン電極２（Ｚ）にサステインパルスｓｕｓが印加される途中に終了することもでき、また、図４Ｅに示しているように、前記サステイン期間Ｓが終了した後、次のサブフィールドのアドレス期間Ａが始まる前に終了することもできる。
【００６８】
すなわち、サステイン期間Ｓの間、前記アドレス電極６（Ｘ）が所定の電圧を有するようになれば、前記アドレス電極６（Ｘ）とスキャン電極１（Ｙ）との間、またはアドレス電極６（Ｘ）とサステイン電極２（Ｚ）との間の電圧差が減少するため、前記スキャン電極１（Ｙ）とサステイン電極２（Ｚ）との間のサステイン放電を強化することができる。上記のように、ピーキングノイズが発生しないため、サステイン期間Ｓ開始前、前記スキャン電極１（Ｙ）またはサステイン電極２（Ｚ）に形成される壁電荷の状態を安定して維持できるだけでなく、前記アドレス電極６（Ｘ）とスキャン電極１（Ｙ）との間、またはアドレス電極６（Ｘ）とサステイン電極２（Ｚ）との間の電圧差が減少するので、誤放電が発生しない。サステイン期間Ｓの開始前、前記スキャン電極１（Ｙ）またはサステイン電極２（Ｚ）に形成される壁電荷の状態が崩れないので、サステイン期間Ｓの間、過放電が発生して画面にチラツキが生じる現象の発生を防止できる。
【００６９】
前記アドレス駆動部１２０は、最後のスキャン電極１（Ｙ）に最後のスキャンパルスｓｃｐが印加された以後に、前記アドレス電極６（Ｘ）をフローティングさせて、安定化波形信号を形成することができる。アドレス駆動部１２０は、前記アドレス電極６（Ｘ）にデータパルスｄｐを印加するために備えられるスイッチＨ、Ｌのゲート信号を制御して、前記アドレス電極６（Ｘ）をフローティングさせることができる。
【００７０】
図８Ａに示しているように、前記アドレス線のフローティングは、開始時点“ａ”と終了時点“ｂ”との間にハイレベルスイッチＨとロウレベルスイッチＬのターンオフによって達成できる。前記アドレス電極６（Ｘ）はフローティングされ、この時、前記アドレス電極６（Ｘ）は、所定の電圧を有する。前記アドレス電極６（Ｘ）がフローティングされて形成される電圧は、前記データパルスｄｐの最大電圧レベルより高い。ただし、低くてもよい。フローティング状態の終了時点は、図８Ｂ及び図８Ｃに示しているように、図４Ｂ乃至図４Ｅと同様に変化でき、図４Ｂ乃至図４Ｅの全ての記述事項は、当業者により容易に適用され、理解されることができる。図８Ｂは、図４Ｂと類似の終了時点“ｄ”を例示しており、図８Ｃは、図４Ｅと類似の終了時点を例示している。
【００７１】
他の実施形態として、全てのアドレス電極６（Ｘ）のフローティング状態は、必要により、次回のサブフィールドのリセット期間Ｒまで持続することができる。リセット期間Ｒの間には、前記スキャン電極１（Ｙ）にランプ波形の高い電圧を印加して、前記スキャン電極１（Ｙ）とサステイン電極２（Ｚ）との間の放電を発生させて放電セルを初期化するので、前記アドレス電極６（Ｘ）がフローティングされたとしても、放電セルの初期化に影響を及ぼさない。
【００７２】
前記アドレス駆動部１２０は、前記アドレス電極６（Ｘ）へのデータパルスｄｐ印加が完了すれば、安定したデータ書き込みのために、画面にディスプレイされる映像データとは別に、ダミーデータパルス（図示せず）を印加する。
【００７３】
前記ダミーデータパルスは、実際の映像データを書き込むためのデータパルスｄｐをアドレス電極６（Ｘ）へ印加し終わった後に、アドレス電極６（Ｘ）に印加される。前記ダミーデータパルスは、前記データパルスｄｐと異なるように形成されてもよいので、前記ダミーデータパルスのパルス幅は、０．５μｓ乃至１０μｓに印加されることが通常である。
【００７４】
前記ダミーデータパルスは、通常、前記データパルスｄｐと同じ電圧レベルを有するが、前記ダミーデータパルスが前記データパルスｄｐの最大電圧レベルと異なる電圧レベルを有してもよい。
【００７５】
したがって、前記アドレス駆動部１２０は、前記ダミーデータパルスが印加される間にアドレス電極６（Ｘ）をフローティングさせると、ピーキングノイズ防止は勿論、データの安定した書き込みも保障できるようになる。また、前記アドレス駆動部１２０は、電圧レベルを一定時間の間に維持させて、ピーキングノイズ発生を防止できる。
【００７６】
この場合にも、前記アドレス電極６（Ｘ）のフローティング終了時点は、上記したように、如何様にも変形することができることは言うまでもない。
【００７７】
上記のように、ピーキングノイズが発生しないと、前記スキャン電極１（Ｙ）とサステイン電極２（Ｚ）との間に形成された壁電荷を安定して維持できるので、前記サステイン期間Ｓの間に誤放電なしでサステイン放電が起きるようになる。また、ピーキングノイズが発生すれば、前記ピーキングノイズによって前記スキャン駆動部１３０またはサステイン駆動部１４０に流れる電流が瞬間的に増加するため、ピーキングノイズは好ましくない。この場合、前記スキャン駆動部１３０またはサステイン駆動部１４０に備えられるスイッチが破壊され得るので、高電流スイッチまたは高電圧スイッチを使用しなければならず、これにより、回路構成に必要とする費用が増加する、及び／または回路の信頼性（reliability）が低下する。これは、本発明が意図するものではない。また、ピーキングノイズが発生すれば、前記スキャン電極１（Ｙ）及びサステイン電極２（Ｚ）に印加される信号に歪みが発生して、ＥＭＩ（Electromagnetic Interference）が悪化する。
【００７８】
また、シングルスキャン（single scan）方式でプラズマディスプレイパネルを駆動する場合、発生可能なピーキングノイズの大きさがデュアルスキャン（dual scan）方式に比べて大きいため、ピーキングノイズによる回路信頼性の低下及びＥＭＩ低下はさらい深刻である。
【００７９】
しかし、上記のようにピーキングノイズがなくなれば、シングルスキャン方式でプラズマディスプレイパネルを駆動する場合にも、安定した回路構成が可能であると共に、ＥＭＩ特性低下を防止することができるという長所がある。
【００８０】
図面は、本願発明を簡単に説明するために作成されたものである。例えば、図面は、理想的な状況での波形を例示したものであって、本出願と関連のない電圧遷移間の他の方式の電圧スパイクは、そういう信号及び／または波形に適用され得る。また、本図面は、パルスを例示的に示したものであって、そういう信号及び／または波形が、それらを示すズーミング（zooming）またはスケールにより異なって見えることができるのは当業者にとって当然である。
【００８１】
以上の実施形態等と長所は、単純に例示的なもので、本願発明を制限するためのものではない。本願明細書で説明するのは、他の方式の装置にも容易に適用されることができる。本発明の説明は、例示的なもので、本請求項の範囲を限定するためのものではない。当業者にとって、多くの代替例、修正例、及び変形例が可能である。本請求項において、語句「手段」は、その機能を行うように本願明細書で記述された構造、そして構造的等価物のみでなく等価的構造までもカバーするためのものである。
【図面の簡単な説明】
【００８２】
【図１】プラズマディスプレイパネルを駆動するためのフレーム構造を示す図である。
【図２】プラズマディスプレイパネルを駆動する波形を示す信号が示された図である。
【図３】プラズマディスプレイパネルの構造図を示す図である。
【図４Ａ】本発明の一実施形態に係るプラズマディスプレイパネルを駆動する波形図を示す信号が示された図である。
【図４Ｂ】本発明の一実施形態に係るプラズマディスプレイパネルを駆動する波形図を示す信号が示された図である。
【図４Ｃ】本発明の一実施形態に係るプラズマディスプレイパネルを駆動する波形図を示す信号が示された図である。
【図４Ｄ】本発明の一実施形態に係るプラズマディスプレイパネルを駆動する波形図を示す信号が示された図である。
【図４Ｅ】本発明の一実施形態に係るプラズマディスプレイパネルを駆動する波形図を示す信号が示された図である。
【図５】本発明の一実施形態に係るプラズマディスプレイパネルを駆動する波形図を示す信号が示された図である。
【図６Ａ】本発明に係るプラズマディスプレイパネルの駆動装置を示すブロック図である。
【図６Ｂ】本発明に係るプラズマディスプレイパネルの駆動装置を示すブロック図である。
【図７】本発明の好ましい一実施形態にかかるプラズマディスプレイパネルを駆動する波形図を示す信号が示された図である。
【図８Ａ】本発明の一実施形態に係るプラズマディスプレイパネルを駆動する波形図を示す信号が示された図である。
【図８Ｂ】本発明の一実施形態に係るプラズマディスプレイパネルを駆動する波形図を示す信号が示された図である。
【図８Ｃ】本発明の一実施形態に係るプラズマディスプレイパネルを駆動する波形図を示す信号が示された図である。
【符号の説明】
【００８３】
Ａ１  前面基板
Ｂ１  背面基板
１  スキャン電極
１ａ  透明電極
１ｂ  バス電極
２  サステイン電極
１ａ  透明電極
１ｂ  バス電極
３  誘電体層
４  誘電体保護層
６  アドレス電極
８  誘電体層
７  隔壁
９  蛍光体
１２０  アドレス駆動部
１３０  スキャン駆動部
１４０  サステイン駆動部
Ｈ、Ｌ  スイッチ
Ａ  アドレス期間
Ｒ  リセット期間
Ｓ  サステイン期間
ＳＦ  サブフィールド
【図１】
2006323362.tif 000003
【図２】
2006323362.tif 000004
【図３】
2006323362.tif 000005
【図４Ａ】
2006323362.tif 000006
【図４Ｂ】
2006323362.tif 000007
【図４Ｃ】
2006323362.tif 000008
【図４Ｄ】
2006323362.tif 000009
【図４Ｅ】
2006323362.tif 000010
【図５】
2006323362.tif 000011
【図６Ａ】
2006323362.tif 000012
【図６Ｂ】
2006323362.tif 000013
【図７】
2006323362.tif 000014
【図８Ａ】
2006323362.tif 000015
【図８Ｂ】
2006323362.tif 000016
【図８Ｃ】
2006323362.tif 000017